(57)【要約】【課題】  簡単な操作で用件メッセージの削除と録音保持が可能な電話装置を提供する。【解決手段】  着信があり、所定回数の着信音を鳴動した後に、自動的に回線を接続して発呼側からの用件メッセージの録音を開始する（Ｓ６ステップ）。録音中にハンドセットがオフフックされると（Ｓ１０ステップ）通話を開始すると共に録音を中断し、通話終了後に回線が断となると（Ｓ１３ステップ）、録音した用件メッセージを消去するか否かの表示を行う（Ｓ１４ステップ）。【選択図】図３
2008078861.tif 000002
【特許請求の範囲】
【請求項１】
着信があると自動的に回線を接続し、相手先からの用件メッセージを録音する電話装置であり、
用件メッセージの録音中にオフフック操作があると、録音中の用件メッセージを消去することを特徴とする電話装置。
【請求項２】
着信があると自動的に回線を接続し、相手先からの用件メッセージを録音する電話装置であり、
用件メッセージの録音中にオフフック操作があると用件メッセージの録音を中断すると共に通話を開始し、通話が終了すると、録音された用件メッセージを消去するか否かのメッセージを表示することを特徴とする電話装置。
【請求項３】
着信があると自動的に回線を接続し、相手先からの用件メッセージを録音する電話装置であり、
相手先からの用件メッセージを録音する用件メッセージ録音手段と、ハンドセットのフック状態を検出するフック検出手段と、表示手段と、入力手段と、
着信があり自動的に回線が閉結されると、前記用件メッセージ録音手段に回線から入力した相手先からの用件メッセージを録音し、当該用件メッセージ録音中に前記フック検出手段がハンドセットのオフフックを検出したと判定すると、前記用件メッセージの録音を中断し通話処理を行ない、通話処理終了後に前記用件メッセージを消去するか否かのメッセージを前記表示手段に表示させ、前記入力手段から用件メッセージを消去するよう指示があると判定すると、録音を中断した前記用件メッセージを消去するように前記用件メッセージ録音手段を制御する制御手段と、を有することを特徴とする電話装置。
【請求項４】
請求項３記載の電話装置であり、
前記制御手段は、前記表示手段に用件メッセージを消去するか否かのメッセージを表示させている状態で、前記入力手段から用件メッセージを保存するよう指示があると判定すると、録音を中断した前記用件メッセージを、前記用件メッセージ録音手段に録音保持することを特徴する電話装置。
【請求項５】
請求項３又は４に記載の電話装置であり、
前記制御手段は、前記表示手段に用件メッセージを消去するか否かのメッセージを表示させている状態で所定時間前記入力手段から入力操作がないと判定すると、前記用件メッセージ録音手段に録音されている用件メッセージの録音を保持させると共に、前記表示手段の表示を、用件メッセージを消去するか否かのメッセージから待機状態の表示へ切り替えることを特徴とする電話装置。
【発明の詳細な説明】
【技術分野】
【０００１】
本発明は、留守時に発呼側からのメッセージを録音可能な電話装置に関する。
【背景技術】
【０００２】
現在のコードレス電話装置やファクシミリ装置は、留守録音機能を有したものが一般的である。この留守録音機能は、留守録音機能を実行するように設定した状態で、ユーザが外出し、この外出時に外線着信があると、所定回数の着信音の鳴動後に自動的に回線を接続し、「只今出かけております。ピーッという発信音の後にメッセージを入れてください。」というＯＧＭ（Ｏｕｔ  Ｇｏｉｎｇ  Ｍｅｓｓａｇｅ）、所謂応答メッセージを回線に出力し、発呼側からのＩＣＭ（Ｉｎ  Ｃｏｍｉｎｇ  Ｍｅｓｓａｇｅ）、所謂用件メッセージを回線から入力して録音する機能である。ユーザは外出先から帰宅した後に、この用件メッセージを聞くことにより留守中に着信のあった相手先からの伝言を聞くことができる（例えば特許文献１参照）。
【０００３】
又、この用件メッセージを消去するには、通常、用件メッセージを再生した後に、ユーザが所定のキー操作を施すことにより用件メッセージが消去される。
【特許文献１】特開平０７−３１２６４２号公報
【発明の開示】
【発明が解決しようとする課題】
【０００４】
従来の留守録音機能を有する電話装置では、用件メッセージの録音が終了した後に、ユーザが用件メッセージの再生操作を行い、続いて用件メッセージの消去操作を行うことにより、用件メッセージが消去されていた。この為、ユーザは一々用件メッセージを再生した後に消去操作を行わなければ用件メッセージの消去が行われず、ユーザは面倒な操作を行う必要があった。又、ユーザがこのような面倒な操作を行わなければ、不要な用件メッセージが録音されたままになり、容量に制限のあるメモリを有効活用することができなかった。
【課題を解決するための手段】
【０００５】
本発明はこのような課題を解決する為のものであり、用件メッセージの録音中にハンドセットがオフフックされると自動的に用件メッセージを消去するものである。又、通話終了後にユーザに用件メッセージを消去するか問い合わせ、ユーザが消去の選択をすることにより、用件メッセージを消去することができる。
請求項１記載の電話装置は、着信があると自動的に回線を接続し、相手先からの用件メッセージを録音する電話装置であり、用件メッセージの録音中にオフフック操作があると、録音中の用件メッセージを消去することを特徴とする。
請求項２記載の電話装置は、着信があると自動的に回線を接続し、相手先からの用件メッセージを録音する電話装置であり、用件メッセージの録音中にオフフック操作があると用件メッセージの録音を中断すると共に通話を開始し、通話が終了すると、録音された用件メッセージを消去するか否かのメッセージを表示することを特徴とする。
請求項３記載の電話装置は、着信があると自動的に回線を接続し、相手先からの用件メッセージを録音する電話装置であり、相手先からの用件メッセージを録音する用件メッセージ録音手段と、ハンドセットのフック状態を検出するフック検出手段と、表示手段と、入力手段と、着信があり自動的に回線が閉結されると、前記用件メッセージ録音手段に回線から入力した相手先からの用件メッセージを録音し、当該用件メッセージ録音中に前記フック検出手段がハンドセットのオフフックを検出したと判定すると、前記用件メッセージの録音を中断し通話処理を行ない、通話処理終了後に前記用件メッセージを消去するか否かのメッセージを前記表示手段に表示させ、前記入力手段から用件メッセージを消去するよう指示があると判定すると、録音を中断した前記用件メッセージを消去するように前記用件メッセージ録音手段を制御する制御手段と、を有することを特徴とする。
請求項４記載の電話装置は、請求項３記載の電話装置であり、前記制御手段は、前記表示手段に用件メッセージを消去するか否かのメッセージを表示させている状態で、前記入力手段から用件メッセージを保存するよう指示があると判定すると、録音を中断した前記用件メッセージを、前記用件メッセージ録音手段に録音保持することを特徴する。
請求項５記載の電話装置は、請求項３又は４に記載の電話装置であり、前記制御手段は、前記表示手段に用件メッセージを消去するか否かのメッセージを表示させている状態で所定時間前記入力手段から入力操作がないと判定すると、前記用件メッセージ録音手段に録音されている用件メッセージの録音を保持させると共に、前記表示手段の表示を、用件メッセージを消去するか否かのメッセージから待機状態の表示へ切り替えることを特徴とする。
【発明の効果】
【０００６】
請求項１記載の電話装置によると、用件メッセージの録音中にユーザがオフフック操作を行うと、録音中の用件メッセージを消去するため、用件メッセージを録音するメモリの領域に無駄なメッセージを録音することを回避することができるだけでなく、用件メッセージ録音後にユーザが一々用件メッセージを消去する操作を行う必要がない。
【０００７】
請求項２記載の電話装置によると、通話終了後に用件メッセージを消去するか否かのメッセージが表示されるため、ユーザにとって必要な要件メッセージのみを選択することが可能である。
【０００８】
請求項３記載の電話装置によると、通話終了後に用件メッセージを消去するか否かのメッセージが表示され、ユーザの操作に応じて用件メッセージを消去することができる為、通話終了のついでに録音された用件メッセージを消去することが可能であり、一々ユーザが用件メッセージの再生操作を行い更に用件メッセージの消去操作を行うといった面倒な操作を行う必要がない。
【０００９】
請求項４記載の電話装置によると、通話終了後に用件メッセージを消去するか否かのメッセージが表示され、ユーザの操作に応じて用件メッセージを保持することができる為、ユーザにとって必要な用件メッセージを録音保持することが可能である。
【００１０】
請求項５記載の電話装置によると、通話終了後に用件メッセージを消去するか否かのメッセージが表示され、所定時間の間操作がなければ、用件メッセージの録音を保持すると共に通常の待ちうけ表示になる為、ユーザが通話終了後に急な用事があった場合でも、自動的に用件メッセージを録音保持することができるだけでなく、表示は通常の待機状態の表示に戻すことが可能である。
【発明を実施するための最良の形態】
【００１１】
図１は本発明を適用してなる実施例装置（電話装置）のブロック図である。
【００１２】
図１において、制御部１００は電話装置内部の各回路の制御を司る。又、制御部１００は、着信時に発呼側の電話番号を一時的に格納するバッファメモリ（図示せず）と所定時間の計時を行うタイマ（図示せず）とを有している。
ダイオードブリッジ１１０は回線Ｌと接続されており、回線Ｌの極性が反転しても装置内部の回路の電位を一定に保つ。リンガー検出部１２０は、回線Ｌに接続され、回線Ｌから一定周期で送られてくる周波数１６ヘルツの着信信号を検出すると上記着信を示す信号を制御部１００に送出する。
【００１３】
網制御部１３０は、上記制御部１００の制御の下で回線の閉結動作を行い、回線の極性反転を検出する機能も有している。ビープ音発生部１４０は、制御部１００の制御の下で例えば２キロヘルツのビープ音を網制御部１３０を介して回線Ｌへ送出する。
【００１４】
スピーカ１５０は、アンプ１６０とミュート回路１７０を介して制御部１００と接続されており、上記リンガー検出部１２０により回線Ｌからの着信信号が検出された際に着信音を送出し、又、後述する用件メッセージ格納部２４０に格納された用件メッセージの再生時にこのメッセージを送出する。
【００１５】
ミュート回路１７０は、制御部１００の制御の下で、スピーチネットワーク部１８０から入力した音声信号や着信音等をスピーカから送出させないようにする。スピーチネットワーク部１８０は、音声信号の通過するラインの接続切換を行う。
【００１６】
送受話部１９０のスピーカ１９１は、アンプ１９２を介して上記スピーチネットワーク部１８０と接続されており、回線Ｌから入力した発呼側の音声信号を送出する。送受話部１９０のマイク１９３は、アンプ１９４を介して上記スピーチネットワーク部１８０と接続されており、ユーザの発した音声信号をスピーチネットワーク部１８０へ送出する。
フック検出部２００は、制御部１００と接続されており、上記送受話部１９０のオンフック、オフフックを検出する。
発呼側番号検出部２１０は、スピーチネットワーク部１８０と制御部１００とに接続されており、着信時に回線Ｌからの発呼側電話番号を検出する。
入力部２２０は、テンキーや、後述する用件メッセージ格納部２４０に格納された用件メッセージを再生する為の用件再生キー等を有しており、入力部２２０で入力された信号は制御部１００に送出される。
【００１７】
電話帳メモリ２３０は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の書き換え自由な不揮発性メモリからなり、電話番号と発呼側の名称とを対にして複数件格納可能である。
【００１８】
用件メッセージ格納部２４０は、例えばＥＥＰＲＯＭからなり、電話装置が留守録音を開始した際に回線Ｌから入力した発呼側の用件メッセージを格納する領域と、上記用件メッセージに対応する発呼側の電話番号を格納する領域とを有しており、上記発呼側番号検出部２１０が着信時に発呼側の電話番号を検出した場合には、上記用件メッセージと発呼側の電話番号とを対にして格納可能であり、これらの情報を複数件格納可能である。又、着信時に前記発呼側番号検出部２１０が電話番号を検出しなかった場合には、用件メッセージのみ用件メッセージ格納部２４０に格納される。尚、用件メッセージに対応して着信した日付、日時等を格納しても良い。
【００１９】
表示部２５０は、上記入力部２２０から入力された電話番号や、上記電話帳メモリ２３０に格納されている電話番号及び名称等を表示することが可能である。又、上記用件メッセージ格納部２４０に格納されている発呼側からの用件メッセージを再生（スピーカ１５０から送出）している際に、上記用件メッセージ格納部２４０に上記発呼側のメッセージと対となって格納されている発呼側の電話番号を表示する。
【００２０】
拒否番号格納部２６０は、例えばＥＥＰＲＯＭ等からなり、着信を拒否する相手先の電話番号が格納される。本実施例では、着信があり、用件メッセージを録音開始してから所定時間以上発呼側からの音声を検出しなければ、この着信の電話番号を着信拒否電話番号として拒否番号格納部２６０に格納する。尚、拒否番号格納部２６０に格納する電話番号は、ユーザが入力部２２０からキー操作を行うことにより入力しても良いし、電話帳メモリ２３０に格納されている相手先の中から選択しても良い。
【００２１】
応答メッセージ格納部２７０は、例えばＥＥＰＲＯＭ等からなり、用件メッセージを格納する前に発呼側へ送出する応答メッセージ（例えば、"ただ今でかけております、発信音の後にメッセージを入れてください"）を格納している。
【００２２】
次に、本発明を適用してなる第１実施例装置の動作について以下に説明する。
【００２３】
Ｓ１ステップにおいて、制御部１００は、リンガー検出部１２０から呼出信号があることを示す信号を検出すると、呼出し信号ありと判定し、Ｓ２ステップへ処理を進める。
【００２４】
Ｓ２ステップにおいて、制御部１００は、発呼側番号検出部２１０から、発呼側からの電話番号データを受信すると、制御部１００内部にある図示しないバッファメモリに、発呼側の電話番号を一時的に格納する。尚、発呼側が公衆電話から電話をかけている場合や、電話番号の頭に１８４を付加して発呼している場合には、発呼側の電話番号が受信されないため、バッファメモリに電話番号は格納されない。
【００２５】
Ｓ３ステップでは、制御部１００は、リンガー検出部１２０が検出する呼出信号のカウントを開始する。尚、このとき制御部１００は、スピーカ１５０から出力するユーザに対する呼出音の回数をカウントする構成としても良い。
【００２６】
Ｓ４ステップでは、制御部１００は、スピーカ１５０から呼出音を出力させ、Ｓ５ステップへ処理を進める。
【００２７】
Ｓ５ステップでは、制御回路１００は、Ｓ３ステップでカウント開始した呼出音の鳴動回数或いは、リンガー検出部１２０が検出する呼出信号の数が予め定められた回数以上であると判定するとＳ６ステップへ処理を進め、そうでなければ、Ｓ４ステップへ処理を戻す。
【００２８】
Ｓ６ステップでは、制御回路１００は、網制御部１３０を制御することにより、回線を接続させ、応答メッセージ格納部２７０から応答メッセージデータを読み込んで回線へ出力し、続いて回線からの用件メッセージを受信して用件メッセージ格納部２４０に格納する。尚、この時、制御回路１００のバッファメモリに格納された発呼側の電話番号データと受信した用件メッセージを対応付けて、用件メッセージ格納部２４０に格納する。
【００２９】
Ｓ７ステップでは、制御回路１００は、内部に搭載しているタイマーに所定時間の計時を開始させる。尚、この所定時間とは、ユーザが予め設定した時間でも良いし、工場出荷時に設定された時間でも良い。
【００３０】
尚、上記Ｓ６ステップにおいて、用件メッセージの録音を開始してからタイマーをスタートさせたが、Ｓ６ステップの回線接続開始からタイマーをスタートさせても良いし、応答メッセージの送出が終了してからタイマーをスタートさせても良い。
【００３１】
続くＳ８ステップにおいて、制御部１００は、発呼側からの音声を検出すると、Ｓ９ステップへ処理を進め、そうでなければ、Ｓ１４ステップへ処理を進める。
【００３２】
尚、本実施例では、制御部１００内部に発呼側からの音声を検出する機能を搭載させたが、制御部１００以外にＤＳＰ（Ｄｉｇｉｔａｌ  Ｓｉｇｎａｌ  Ｐｒｏｃｅｓｓｏｒ）等の集積回路を搭載させ、このＤＳＰが回線からの音声を検出する構成としても良い。その音声の検出方法としては、例えば所定レベルの振幅の信号、所定の周波数の信号等を検出すると音声と判定する方法等が考えられる。
【００３３】
Ｓ９ステップでは、制御部１００は、前記Ｓ７ステップで計時を開始したタイマーをクリアし、Ｓ１０ステップへ処理を進める。
【００３４】
Ｓ１０ステップでは、制御回路１００は、フック検出部２００からハンドセットがオフフックされたことを示す信号を検出すると、Ｓ１１ステップへ処理を進め、そうでなければ、Ｓ１３ステップへ処理を進める。
【００３５】
Ｓ１１ステップでは、制御回路１００は、前記Ｓ６ステップで録音した用件メッセージを消去し、Ｓ１２ステップへ処理を進める。
【００３６】
Ｓ１２ステップでは、制御回路１００は、スピーチネットワーク部１８０と網制御部１３０を制御することにより、回線Ｌと送受話部１９０を接続し、発呼側との通話処理を行ない、通話終了後、Ｓ１７ステップで回線を切断し、処理を終了する。
【００３７】
一方、Ｓ１３ステップでは、制御回路１００は、網制御部１３０から、発呼側がオンフックしたことを示す信号を検出すると、Ｓ１７ステップへ処理を進め、そうでなければ、Ｓ１０ステップへ処理を戻す。尚、このオンフックの検出は、網制御部１３０が例えば回線Ｌの極性反転を検出することにより、発呼側がオンフックしたことを検出する。
【００３８】
Ｓ１４ステップでは、制御回路１００は、Ｓ７ステップでカウント開始したタイマーが所定時間（例えば１０秒）計時したと判定するとタイマーをクリアし、Ｓ１５ステップへ処理を進め、そうでなければ、Ｓ１６ステップへ処理を進める。
【００３９】
Ｓ１５ステップでは、制御回路１００が、前記Ｓ２ステップで受信しバッファメモリに一時的に格納した発呼側の電話番号を着信拒否格納部２６０に格納し、Ｓ１７ステップへ処理を進める。
【００４０】
尚、この時Ｓ６ステップで録音した発呼側からの音声（この場合、ノイズのみが録音されている場合或いは無音のデータである。）を消去しても良い。無音データとしてメモリに格納されてデータを消去することにより、メモリの容量を有効活用することができる。
【００４１】
Ｓ１６ステップでは、制御回路１００が、Ｓ１３ステップと同様に相手側がオンフックしたと判定すると、タイマーをクリアしＳ１７ステップへ処理を進め、そうでなければ、Ｓ８ステップへ処理を進める。
【００４２】
Ｓ１７ステップでは、制御回路１００が、網制御部１３０を制御することにより、回線Ｌを切断し、処理を終了する。
【００４３】
このように、Ｓ１０〜Ｓ１１ステップにおいて、用件メッセージの録音中にユーザがオフフック操作を行うと、録音中の用件メッセージを消去するため、用件メッセージを録音するメモリの領域に無駄なメッセージを録音することを回避することができるだけでなく、用件メッセージ録音後にユーザが一々用件メッセージを消去する操作を行う必要がない。
【００４４】
尚、第１実施例装置では、Ｓ８ステップで音声を検出したか否かを見ているが、音声を検出しなくとも、オフフックされると用件メッセージを消去する構成としても良い。
【００４５】
次に第２実施例装置について説明する。先ほど説明した第１実施例装置では、用件メッセージ録音中にユーザがハンドセットをオフフックすると自動的に用件メッセージが消去される構成であった。しかしながら、途中まで録音したメッセージが不要なメッセージではない場合もある。例えば、用件メッセージの録音開始から、「田中です、１時半に駅前で待ち合せましょう」といったように、ユーザにとって所謂メモ代わりとして残しておきたいメッセージが録音される場合もある。この為、第２実施例装置では、ユーザが用件メッセージを消去するか否かを通話終了時に選択可能としている。
【００４６】
第２実施例装置は第１実施例装置と同一のブロック回路を用いる為、図３のフロー図を用いて動作を説明する。
【００４７】
Ｓ１ステップにおいて、制御部１００は、リンガー検出部１２０から呼出信号があることを示す信号を検出すると、呼出し信号ありと判定し、Ｓ２ステップへ処理を進める。
【００４８】
Ｓ２ステップにおいて、制御部１００は、発呼側番号検出部２１０から、発呼側からの電話番号データを受信すると、制御部１００内部にある図示しないバッファメモリに、発呼側の電話番号を一時的に格納する。尚、発呼側が公衆電話から電話をかけている場合や、電話番号の頭に１８４を付加して発呼している場合には、発呼側の電話番号が受信されないため、バッファメモリに電話番号は格納されない。
【００４９】
Ｓ３ステップでは、制御部１００は、リンガー検出部１２０が検出する呼出信号のカウントを開始する。尚、このとき制御部１００は、スピーカ１５０から出力するユーザに対する呼出音の回数をカウントする構成としても良い。
【００５０】
Ｓ４ステップでは、制御部１００は、スピーカ１５０から呼出音を出力させ、Ｓ５ステップへ処理を進める。
【００５１】
Ｓ５ステップでは、制御回路１００は、Ｓ３ステップでカウント開始した呼出音の鳴動回数或いは、リンガー検出部１２０が検出する呼出信号の数が予め定められた回数以上であると判定するとＳ６ステップへ処理を進め、そうでなければ、Ｓ４ステップへ処理を戻す。
【００５２】
Ｓ６ステップでは、制御回路１００は、網制御部１３０を制御することにより、回線を接続させ、応答メッセージ格納部２７０から応答メッセージデータを読み込んで回線へ出力し、続いて回線からの用件メッセージを受信して用件メッセージ格納部２４０に格納する。尚、この時、制御回路１００のバッファメモリに格納された発呼側の電話番号データと受信した用件メッセージを対応付けて、用件メッセージ格納部２４０に格納する。
【００５３】
Ｓ７ステップでは、制御回路１００は、内部に搭載しているタイマーに所定時間の計時を開始させる。尚、この所定時間とは、ユーザが予め設定した時間でも良いし、工場出荷時に設定された時間でも良い。
【００５４】
尚、上記Ｓ６ステップにおいて、用件メッセージの録音を開始してからタイマーをスタートさせたが、Ｓ６ステップの回線接続開始からタイマーをスタートさせても良いし、応答メッセージの送出が終了してからタイマーをスタートさせても良い。
【００５５】
続くＳ８ステップにおいて、制御部１００は、発呼側からの音声を検出すると、Ｓ９ステップへ処理を進め、そうでなければ、Ｓ１４ステップへ処理を進める。
【００５６】
尚、本実施例では、制御部１００内部に発呼側からの音声を検出する機能を搭載させたが、制御部１００以外にＤＳＰ（Ｄｉｇｉｔａｌ  Ｓｉｇｎａｌ  Ｐｒｏｃｅｓｓｏｒ）等の集積回路を搭載させ、このＤＳＰが回線からの音声を検出する構成としても良い。その音声の検出方法としては、例えば所定レベルの振幅の信号、所定の周波数の信号等を検出すると音声と判定する方法等が考えられる。
【００５７】
Ｓ９ステップでは、制御部１００は、前記Ｓ７ステップで計時を開始したタイマーをクリアし、Ｓ１０ステップへ処理を進める。
【００５８】
Ｓ１０ステップでは、制御回路１００は、フック検出部２００からハンドセットがオフフックされたことを示す信号を検出すると、Ｓ１１ステップへ処理を進め、そうでなければ、Ｓ１５ステップへ処理を進める。
【００５９】
Ｓ１１ステップでは、制御回路１００は、用件メッセージ格納部２４０を制御することにより用件メッセージの録音動作を中断させ、スピーチネットワーク部１８０と網制御部１３０を制御することにより、回線Ｌと送受話部１９０を接続し、発呼側との通話処理を行ない、Ｓ１２ステップへ処理を進める。
【００６０】
Ｓ１２ステップでは、制御回路１００は、フック検出部２００からハンドセットがオンフックされたことを示す信号を検出すると、Ｓ１３ステップへ処理を進め、Ｓ１３ステップにおいて、網制御部１３０を制御することにより、回線を断とする。
【００６１】
続くＳ１４ステップでは、制御回路１００は、表示部２５０に、録音した用件メッセージを消去するか否かのメッセージを表示させ、入力部２２０から用件メッセージを消去する操作があると、Ｓ６ステップから録音した用件メッセージを消去するよう、用件メッセージ格納部２４０を制御する。一方、制御回路１００は、用件メッセージを保存する（消去しない）操作があると判定すると、Ｓ６ステップから録音した用件メッセージを保存する（消去しない）。換言すれば、用件メッセージの消去指示があった時に用件メッセージ格納部２４０に格納されている用件メッセージを消去し、消去指示がなければ、用件メッセージ格納部２４０に格納されている用件メッセージに対し何ら制御を行わない。
尚、Ｓ１４ステップにおいてユーザが操作をせずに所定時間電話装置を放置すると、録音された用件メッセージはそのまま保持を継続し、表示部２５０の表示がクリアされ、待機状態における表示（例えば、現在時刻の表示等）に自動的に切り替わるようにしても良い。
Ｓ１５ステップでは、制御回路１００は、網制御部１３０から、発呼側がオンフックしたことを示す信号を検出すると、Ｓ１９ステップへ処理を進め、そうでなければ、Ｓ１０ステップへ処理を戻す。尚、このオンフックの検出は、網制御部１３０が例えば回線Ｌの極性反転を検出することにより、発呼側がオンフックしたことを検出する。
【００６２】
Ｓ１６ステップでは、制御回路１００は、Ｓ７ステップでカウント開始したタイマーが所定時間（例えば１０秒）計時したと判定するとタイマーをクリアし、Ｓ１７ステップへ処理を進め、そうでなければ、Ｓ１８ステップへ処理を進める。
【００６３】
Ｓ１７ステップでは、制御回路１００が、前記Ｓ２ステップで受信しバッファメモリに一時的に格納した発呼側の電話番号を着信拒否格納部２６０に格納し、Ｓ１９ステップへ処理を進める。
【００６４】
尚、この時Ｓ６ステップで録音した発呼側からの音声（この場合、ノイズのみが録音されている場合或いは無音のデータである。）を消去しても良い。無音データとしてメモリに格納されてデータを消去することにより、メモリの容量を有効活用することができる。
【００６５】
Ｓ１８ステップでは、制御回路１００が、Ｓ１５ステップと同様に相手側がオンフックしたと判定すると、タイマーをクリアしＳ１８ステップへ処理を進め、そうでなければ、Ｓ８ステップへ処理を進める。
【００６６】
Ｓ１９ステップでは、制御回路１００が、網制御部１３０を制御することにより、回線Ｌを切断し、処理を終了する。
【００６７】
このように、第２実施例装置では、通話終了後にユーザが録音された用件メッセージを消去するか否かを選択できるようにしたので、第１実施例装置のように、オフフックされると自動的に用件メッセージが消去された場合に、ユーザにとって必要な用件メッセージまでも消去されるといったことを回避することが可能である。しかも、通話終了時の簡単な操作（例えば、所定のキーを１回操作する）ことにより、用件メッセージを消去するか保存するかをユーザが選択可能である為、一々用件メッセージを再生させて用件メッセージを消去するといった操作を必要としない。
【図面の簡単な説明】
【００６８】
【図１】は、本発明を適用してなる実施例装置のブロック図である。
【図２】は、本発明を適用してなる第１実施例装置の動作を示すフロー図である。
【図３】は、本発明を適用してなる第２実施例装置の動作を示すフロー図である。
【符号の説明】
【００６９】
１００  制御部
２１０  発呼側番号検出部
２４０  用件メッセージ格納部
２７０  応答メッセージ格納部
【図１】
2008078861.tif 000003
【図２】
2008078861.tif 000004
【図３】
2008078861.tif 000005